(57)【要約】【課題】光ファイバ検出システムを用いて警報状態を検出する方法が提供される。【解決手段】光源１８、分光計２０、およびデータプロセッサ２２を有する呼掛け器１２が、複数の光ファイバ検出素子１６ａ、１６ｂ、・・・、１６Ｎの高速走査を実行するために使用される。第１の環境パラメータ値が、第１の走査時に呼掛け器１２によって収集される分光データから各光ファイバ検出素子１６ａ、１６ｂ、・・・、１６Ｎについて計算され、第１の閾値と比較される。第１の環境パラメータ値が、いずれかの光ファイバ検出素子１６ａ、１６ｂ、・・・、１６Ｎについて第１の閾値を超える場合、高速走査は、その光ファイバ検出素子の高分解能低速走査を実行するために停止される。光ファイバ検出システム１０は、この高分解能低速走査が警報状態を示す場合、警告を報告する。【選択図】図１
2013250971.tif 000002
【特許請求の範囲】
【請求項１】
光源、分光計、およびデータプロセッサを有する呼掛け器を用いて複数の光ファイバ検出素子の高速走査を実行し、
高速走査時に呼掛け器によって収集される分光データから各光ファイバ検出素子について第１の環境パラメータ値を計算し、
各光ファイバ検出素子について第１の環境パラメータ値を第１の閾値と比較し、
第１の環境パラメータ値が第１の閾値を超えるのに応答して、現在の光ファイバ検出素子の高分解能低速走査を実行し、
現在の光ファイバ検出素子の高分解能低速走査が警報状態を示す場合、警告を報告する、
ことを含むことを特徴とする、光ファイバ検出システム用の警報状態検出方法。
【請求項２】
環境パラメータは、温度であることを特徴とする請求項１記載の警報状態検出方法。
【請求項３】
警報状態は、火災または過熱発生であることを特徴とする請求項２記載の警報状態検出方法。
【請求項４】
高速走査時に呼掛け器によって収集される分光データから各光ファイバ検出素子について第２の環境パラメータ値を計算し、
各光ファイバ検出素子について第２の環境パラメータ値を第２の閾値と比較し、
第２の環境パラメータ値が第２の閾値を超えるのに応答して、現在の光ファイバ検出素子の高分解能低速走査を実行する、
ことをさらに含むことを特徴とする請求項１記載の警報状態検出方法。
【請求項５】
第２の環境パラメータ値は、最後の測定からの環境パラメータ値の変化であることを特徴とする請求項４記載の警報状態検出方法。
【請求項６】
現在の光ファイバ検出素子における警報状態の位置を決定することをさらに含むことを特徴とする請求項１記載の警報状態検出方法。
【請求項７】
警報状態の位置を決定することは、高分解能低速走査時に行われる飛行時間測定によって呼掛け器から警報状態の位置までの距離を特定することを含むことを特徴とする請求項６記載の警報状態検出方法。
【請求項８】
各光ファイバ検出素子は、単一の特性ブラッグ波長を有する複数のファイバブラッグ回折格子（ＦＢＧ）を備えており、警報状態の位置を決定することは、警報状態の位置におけるＦＢＧの特性ブラッグ波長を特定することを含むことを特徴とする請求項６記載の警報状態検出方法。
【請求項９】
第１の閾値は、可能性のある警報状態に対応する第１の環境パラメータ値の範囲について高分解能低速走査を開始するように選択されることを特徴とする請求項１記載の警報状態検出方法。
【請求項１０】
各光ファイバ検出素子の高分解能低速走査を周期的に実行することをさらに含むことを特徴とする請求項１記載の警報状態検出方法。
【請求項１１】
光源および分光計を有する呼掛け器と、
複数の光ファイバ検出素子と、
呼掛け器を複数の光ファイバ検出素子のそれぞれに逐次的に接続するように構成された光スイッチと、
複数の光ファイバ検出素子のそれぞれからの屈折光の分光計による分光分析から環境パラメータ値を計算するように構成されたデータプロセッサと、
を備える光ファイバ検出システムであって、
データプロセッサは、高速走査速度で各光ファイバ検出素子を走査して粗い環境パラメータ値を計算し、特定の光ファイバ検出素子についての粗い環境パラメータ値が第１の閾値を超えた場合、低速走査速度でその光ファイバ検出素子を走査して正確な環境パラメータ値を計算するよう光スイッチを制御するように構成されていることを特徴とする光ファイバ検出システム。
【請求項１２】
データプロセッサは、正確な環境パラメータ値が第２の閾値を超えた場合、警告を報告するようにさらに構成されていることを特徴とする請求項１１記載の光ファイバ検出システム。
【請求項１３】
環境パラメータ値は、温度値であり、粗い環境パラメータ値は、粗い温度値であり、正確な環境パラメータ値は、正確な温度値であることを特徴とする請求項１１記載の光ファイバ検出システム。
【請求項１４】
データプロセッサは、正確な温度値が第２の閾値を超える場合、火災または過熱警告を報告するようにさらに構成されていることを特徴とする請求項１１記載の光ファイバ検出システム。
【請求項１５】
複数の光ファイバ検出素子のそれぞれは、別々の単一のブラッグ波長を有する複数のファイバブラッグ回折格子（ＦＢＧ）を備えることを特徴とする請求項１１記載の光ファイバ検出システム。
【請求項１６】
別々の単一の各ブラッグ波長は、少なくとも１つの光ファイバ検出素子によって検出される単一のゾーンに関連することを特徴とする請求項１５記載の光ファイバ検出システム。
【請求項１７】
データプロセッサは、各環境パラメータ値に関連する位置をその位置におけるＦＢＧの別々の単一のブラッグ波長に基づいて特定するようにさらに構成されていることを特徴とする請求項１５記載の光ファイバ検出システム。
【請求項１８】
データプロセッサは、各環境パラメータ値に関連する位置を光ファイバ検出素子からの屈折光の飛行時間測定に基づいて特定するようにさらに構成されていることを特徴とする請求項１１記載の光ファイバ検出システム。
【請求項１９】
データプロセッサは、粗い環境パラメータの最後の測定からの粗い環境パラメータ値の変化が第３の閾値を超える場合、低速走査速度で光ファイバ検出素子を走査するようにさらに構成されていることを特徴とする請求項１１記載の光ファイバ検出システム。
【請求項２０】
データプロセッサは、呼掛け器の一部であることを特徴とする請求項１１記載の光ファイバ検出システム。
【発明の詳細な説明】
【技術分野】
【０００１】
本発明は、一般に光ファイバ検出システムに関し、より詳細には、光ファイバ検出素子を用いたゾーン型火災および過熱検出システム関する。
【背景技術】
【０００２】
光ファイバセンサは現在、建設現場から航空機翼までの範囲の分散システムにおける広範囲のパラメータを測定するために使用されている。このようなセンサのいくつかは、圧力、ひずみ、および温度センサを含むが、光ファイバは一般に、光ファイバ検出素子の物理状態に関連し得る多数の量を測定するのに使用可能である。光ファイバ温度センサには例えば、干渉計を用いて、光ファイバストランドの熱膨張、または、ストランドセグメント間の間隙またはストランドセグメントを取り囲むシースの熱膨張を検出することで作動するものがある。他のセンサとしては、ラマン後方散乱から温度および圧力などのパラメータの変化を検出するものがある。データプロセッサは、干渉計の読みを光ファイバ検出素子の物理状態の変化に関連させる。
【０００３】
大抵の光ファイバ温度センサは、光ファイバ検出素子と、光源、分光計、およびデータプロセッサを有する呼掛け器とを備える。検出素子は、呼掛け器から検出領域内へと延在する光ファイバストランドから成る。作動中に呼掛け器は、光ファイバ検出素子へと光を放出する。温度変化によって、検出素子の物理状態が変化し、従ってその光学特性が変化する。分光計およびデータプロセッサは、この差を温度変化を特定するために評価する。
【０００４】
最新の温度センサは、広範囲の分光法および干渉法の技術を用いている。これらの技術は一般に、２つの種類に、すなわち、ファイバブラッグ回折格子（Ｆｉｂｅｒ  Ｂｒａｇｇ  Ｇｒａｔｉｎｇ）（ＦＢＧ）に基づく点および擬似分散検出と、ラマン、ビリユアン、またはレイリー散乱に基づく完全分散センサとに分けられる。光ファイバ検出素子の特定の構成は、センサシステムによって使用される分光法の種類によって異なるが、全ての光ファイバセンサは、光ファイバ検出素子の物理状態の変化を検出することで作動する。ＦＢＧセンサは例えば、ブラッグ波長の相対シフト（ΔλB／λB）、すなわち、
ΔλB／λB＝（１−ｐe）ε＋（αΛ＋αn）ΔＴ                    ［式１］
（ただし、ｐeは、ひずみ光学係数、εは、印加されたひずみ、αΛは、光ファイバの熱膨張係数、αnは、その熱−光学係数である。）を検出することで温度変化（ΔＴ）を決定する。
【０００５】
光ファイバ検出素子は、従来の電気的温度センサに比較して、廉価で、耐久性があり、かつ容易に据え付けられる。従って、大抵の光ファイバ温度センサの最も高価な素子は、干渉計である。費用を低減するために、いくつかのセンサシステムでは、各検出素子を周期的に循環するスイッチを介して各干渉計に複数の検出素子が取り付けられ、多数の異なる検出領域に配置可能な多数の別々の検出素子に単一の干渉計がサービス可能となる。
【発明の概要】
【発明が解決しようとする課題】
【０００６】
スイッチング光ファイバセンサシステムには、欠点がない訳ではない。高速スイッチングには、高速の干渉計走査速度が必要となり、この高速の干渉計走査速度によって、システムの達成可能な空間および／または温度分解能が制限される。逆に言えば、もっぱら低速で検出素子間で切り換わるシステムは、各検出素子に訪れるのがまれになり、火災および熱の制御では決定的となり得る数十秒もの間、危険な熱状態が気づかれないままとなり得る。
【課題を解決するための手段】
【０００７】
本発明は、光ファイバ検出システムを用いて警報状態を検出するシステムおよび方法に向けられている。光源、分光計、およびデータプロセッサを有する呼掛け器が、複数の光ファイバ検出素子の高速走査を実行するために使用される。第１の環境パラメータ値が、第１の走査時に呼掛け器によって収集される分光データから各光ファイバ検出素子について計算され、第１の閾値と比較される。第１の環境パラメータ値が、いずれかの光ファイバ検出素子について第１の閾値を超える場合、高速走査は、その光ファイバ検出素子の高分解能低速走査を実行するために停止される。光ファイバ検出システムは、この高分解能低速走査が警報状態を示す場合、警告を報告する。
【図面の簡単な説明】
【０００８】
【図１】本発明による光ファイバ過熱検出システムの概略ブロック線図である。
【図２】図１の光ファイバ過熱検出システムによって使用される走査方法を記載した流れ図である。
【発明を実施するための形態】
【０００９】
図１は、呼掛け器１２、光スイッチ１４、および検出素子１６ａ、１６ｂ、１６Ｎを備える光ファイバ検出システム１０の概略ブロック線図である。呼掛け器１２はさらに、広帯域光源１８、高速分光計２０、およびデータプロセッサ２２を備える。光ファイバ検出システム１０は、航空機および他の乗り物を含む広範な用途における火災または過熱状態を検出するために使用可能である。光ファイバ検出システム１０は、ここでは温度検出システムとして説明されるが、光ファイバ検出システム１０は、本発明の他の実施例ではひずみまたは圧力などの他のパラメータを監視するために使用可能である。
【００１０】
検出素子１６ａ、１６ｂ、・・・、１６Ｎは、光スイッチ１４からゾーンＺ１、Ｚ２、・・・、ＺＭ内の検出位置へと延在する光検出素子である。説明の目的のために、検出素子１６ａ、１６ｂ、・・・、１６Ｎは、以下ではＦＢＧ素子として説明されるとはいえ、他の種類の検出素子も同様に使用可能である。同様に、検出素子１６ａ、１６ｂ、・・・、１６Ｎは、一端のみが（すなわち屈折光（ｒｅｆｒａｃｔｅｄ  ｌｉｇｈｔ））を測定するために）光スイッチ１４に接続された単一の光ファイバストランドとして図示されているとはいえ、他の実施例は、比較干渉法のために複数の光ファイバストランドを備えることができ、あるいは、閉ループ内で両端が（すなわち透過光（ｔｒａｎｓｍｉｔｔｅｄ  ｌｉｇｈｔ）を測定するために）光スイッチ１４に接続されることができる。図示されたＦＢＧシステムにおいて、各検出素子１６ａ、１６ｂ、・・・、１６Ｎは、間隔の詰まった複数のＦＢＧを有しており、各ＦＢＧは、以下にさらに詳細に説明するように、各ゾーンからの信号間の区別をするのに使用可能な単一の特性ブラッグ波長λ1、λ2、・・・、λMを有している。
【００１１】
呼掛け器１２は、広帯域光源１８、高速分光計２０、およびデータプロセッサ２２を備えるＦＢＧ呼掛け器である。広帯域光源１８は例えば、いくつかの波長の光を生成可能な超発光発光ダイオード（Ｓｕｐｅｒｌｕｍｉｎｅｓｃｅｎｔ  Ｌｉｇｈｔ  Ｅｍｉｔｔｉｎｇ  Ｄｉｏｄｅ）（ＳＬＥＤ）源とすることができる。高速分光計２０は、ブラッグ波長の相対シフト（ΔλB／λB）を高速で評価できる分光計である。高速分光計２０の特定の速度要求は、監視される領域またはシステムの安全または火災抑制の要求によって決定され得る、光ファイバ検出システム１０のサンプリング速度要求と、光検出素子１６ａ、１６ｂ、・・・、１６Ｎの数とに依存する。データプロセッサ２２は、ブラッグ波長の相対シフト（ΔλB／λB）から温度変化（ΔＴ）を計算するように構成され、さらに（図２に関して以下に説明される）走査方法１００を実行するように構成された、マイクロプロセッサまたは他の論理対応装置である。データプロセッサ２２は、固定機能プロセッサ、または多機能コンピュータなどのプログラム可能論理装置とすることができる。
【００１２】
光スイッチ１４は、高速分光計２０を各検出素子１６ａ、１６ｂ、・・・、１６Ｎに逐次的に接続可能な１×Ｎ光スイッチである。より詳細には、光スイッチ１４は、データプロセッサ２２によって命令されるさまざまな速度で、検出素子１６ａ、１６ｂ、・・・、１６Ｎ間で逐次的に切り換えることができる光スイッチである。光スイッチ１４は、呼掛け器１２とは別の概略ブロックとして図示されているとはいえ、いくつかの実施例では、呼掛け器１２および光スイッチ１４両方が、共通の筐体内に収容可能であり、あるいは、共用回路基板に配置可能である。
【００１３】
図示の実施例では、各検出素子１６ａ、１６ｂ、・・・、１６Ｎは、Ｍ個の別々のゾーン内の温度変化を検出するように構成される。上述したように、各検出素子１６ａ、１６ｂ、・・・、１６Ｎには、各ゾーンＺ１、Ｚ２、・・・、ＺＭ内に別々のブラッグ波長λBを有するＦＢＧが施されており、それによって、高速分光計２０およびデータプロセッサ２２は、各ゾーン内の温度変化間の区別をすることができる。この実施例によれば、高速分光計２０は、各検出素子１６ａ、１６ｂ、・・・、１６Ｎからの、ゾーンＺ１、Ｚ２、・・・、ＺＭに対応するＭ個の別々のブラッグ波長を特定し、それぞれの相対シフト（例えばΔλ1／λ1、Δλ2／λ2、・・・、ΔλM／λM）を分析する。プロセッサ２２は、代替としてまたは付加的に、各ゾーンから呼掛け器１２への飛行時間（ｔｉｍｅ−ｏｆ−ｆｌｉｇｈｔ）に基づいて各ゾーンＺ１、Ｚ２、・・・、ＺＭ間で区別することができる。本発明のいくつかの実施例では、検出素子１６ａ、１６ｂ、・・・、１６Ｎごとに１つの温度だけ（すなわち１つのゾーンだけ）を検出することができる。
【００１４】
光ファイバ検出システム１０は、各検出素子が複数のゾーンＺ１、Ｚ２、・・・、ＺＭにサービス可能な、複数の検出素子１６ａ、１６ｂ、・・・、１６Ｎを走査する。分光計２０およびデータプロセッサ２２は、図２に関して以下に説明されるように、可変速度で検出素子１６ａ、１６ｂ、・・・、１６Ｎを走査することができる。走査される各検出素子１６ａ、１６ｂ、・・・、１６Ｎについて、および走査される各ゾーンＺ１、Ｚ２、ＺＭについて、データプロセッサ２２は、式１に従って温度の偏差ΔＴを決定する。ΔＴは、現在の温度Ｔ＝Ｔbaseline＋ΔＴとなるように、既知のベースラインの温度Ｔbaselineからの温度変化を示す。
【００１５】
図２には、走査方法１００、すなわち、可変速度で検出素子１６ａ、１６ｂ、・・・、１６Ｎを走査するようにデータプロセッサ２２が光スイッチ１４を制御する方法が図示される。多くの火災および過熱検出システムにおいては、過熱または火災検出の許されない遅延によって、火災抑制または消火装置が展開し得る前に危険な状態が生じる可能性がある。従って、このようなシステムは、各検出素子１６ａ、１６ｂ、・・・、１６Ｎの後続の調査間の時間の遅延を最小限に抑えるように、高速の呼掛け器走査速度が可能となることが重要である。しかしながら、当業技術内でよく知られているように、空間および温度分解能は、分散された光ファイバ検出システム内の呼掛け器走査速度に反比例する。監視される構成要素全てに頻繁に呼掛けることを確実にするためには、高速（速い）走査速度が必要とされるとはいえ、火災または過熱状態を特定し、その場所を突き止めるためには、より低速の走査速度によって与えられる、より大きな分解能が必要となり得る。走査方法１００によって、光ファイバ検出システム１０は、以下に説明されるように、高速の通常走査速度を維持しながら、必要に応じて高い空間および温度分解能を与えることができる。
【００１６】
データプロセッサ２２は、検出素子１６ａに対応する素子数ｎ＝１に初期化することで検出素子１６ａ、１６ｂ、・・・、１６Ｎの各走査を開始し（ステップＳ１）、例えば、５Ｈｚで光パルスを呼掛け器１２から光スイッチ１４を通して検出素子１６ａ内へかつそこから戻るように送ることで、対応する検出素子１６ａの高速走査を実行するように高速分光計２０に命令する（ステップＳ２）。データプロセッサ２２は、上述した式１に従って、温度変化と、何らかの温度変化のある検出素子１６ａに沿った位置とを評価する。この高速走査は、高い位置または温度精度を与えるには短すぎ得るとはいえ、おおよその温度値Ｔを与える。
【００１７】
データプロセッサ２２は次に、検出された温度Tを可能性のある過熱状態に相当する所定の閾値Ｔmaxと比較する（ステップＳ３）。いくつかの実施例では、データプロセッサ２２は、検出素子１６ａから最後の測定からの検出された温度の変化（すなわち、ΔＴ／Δｔ＝（Ｔ−Ｔprevious）／＜時間ステップ＞）を決定し、この検出された温度変化を第２の閾値ΔＴmaxと比較することもできる（ステップＳ４）。どちらかの量が、対応する閾値を超えた場合、データプロセッサ２２は、ステップ８に関して以下に詳細に説明されるように、検出素子１６ａの低速走査を開始する。そうでなければ、データプロセッサ２２は、ｎをインクリメントし、次の検出素子に切り換えるように光スイッチ１４に命令し、ｎ＝Ｎとなるまで検出素子１６ｂから１６Ｎについて上に説明した処理を繰り返す（ステップＳ５、Ｓ６）。全ての検出素子１６ａ、１６ｂ、・・・、１６Ｎ（ｎ＝１からｎ＝Ｎに対応する）の高速走査を実行すると、データプロセッサ２２は、ｎ＝１に再初期化し、最初から方法１００全体を繰り返す（ステップ７）。高速走査を用いて各検出素子１６ａ、１６ｂ、・・・、１６Ｎを検査することで、光ファイバ検出システム１０は、例えば５秒以下の短いタイムスケールで全てのＮ個の検出素子およびＭ個のゾーンに亘って少なくとも粗い温度の決定を行うことができる。
【００１８】
閾値Ｔmax、ΔＴmaxは、ステップＳ２の高速走査時に行われる限定された精度の測定に基づいて、過熱状態が生じ得たであろうときはいつでも低速走査を開始するように選択される。対応する閾値を超えるＴまたはΔＴ／Δｔの発生の全てが、過熱または火災の発生を示すことになる訳ではない。検出された温度Ｔおよび／または検出された温度変化ΔＴ／Δｔの比較が、いずれかの検出素子１６ａ、１６ｂ、・・・、１６Ｎについて対応する閾値を超えている場合（ステップＳ３、Ｓ４を参照のこと）、データプロセッサ２２は、検出素子１６ａ、１６ｂ、・・・、１６Ｎの走査を中断して、高速分光計２０に、対応する検出素子１６ａ、１６ｂ、・・・、１６Ｎの低速走査を開始するように命令する（ステップＳ８）。この低速走査には、数秒かかることがあり、ステップＳ２の高速走査よりかなり高いパルス周波数（例えば１０００Ｈｚ）が必要とされ、より長い時間とより大きなエネルギーとが消費され得る。ステップＳ８の低速走査によって、データプロセッサ２２は、ステップＳ２の高速走査よりかなり大きな精度で温度Ｔ（および／または温度変化ΔＴ／Δｔ）を決定することができる。また、ステップＳ８の低速走査によって、特定の検出素子１６ａ、１６ｂ、・・・、１６Ｎに沿った過熱または火災位置のより大きな飛行時間分解能が可能となる。データプロセッサ２２は、予想される値と比較して温度Ｔおよび温度変化ΔＴ／Δｔを含むいくつかのパラメータを評価して、過熱または火災状態が生じたかを判断し（ステップＳ９）、従って、必要に応じて、適切な火災抑制または警報システムに過熱または火災警告を報告することができる（ステップＳ１０）。
【００１９】
方法１００によって、光ファイバ検出システム１０は、高速および低速走査速度間で動的に切り換わることができ、それによって、通常作動時の高速走査速度を維持しながら、過熱または火災の発生の正確な温度および位置測定を可能とする。ステップＳ２の高速走査は、概略の状態監視に適用可能な情報を提供する低い分解能温度測定を与える。データプロセッサ２２は、この高速走査に基づいてある大きさを超える火災／過熱発生を特定可能であり得るとはいえ、全ての過熱／火災状態を正確に特定できないことがあり得る。しかしながら、高速走査速度情報は、全ての過熱／火災状態の可能性のある発生を示すことになる。これは、絶対温度の増加として、または影響を受けた検出素子における温度上昇速度の鋭い異常な増加として見ることができる。可能性のある火災または過熱状態が、いずれかの特定の素子で特定されると、呼掛け器の走査速度は、低減され、光スイッチは、この素子に個別に対処するように構成される（ステップＳ８）。より低速の走査速度について受け取られた情報は次いで、本当の過熱または火災の警報状態が存在するかを判断するのに使用される。このステップが実行された後、データプロセッサ２２は、再び走査速度を増加させ、全ての素子の逐次的な監視を再開する。
【００２０】
ある場合には、各検出素子１６ａ、１６ｂ、・・・、１６Ｎは、ステップＳ３、Ｓ４の閾値検査によって開始される何らかの低速走査に加えて、（ステップＳ８に関して上に説明した）低速走査を周期的に受けることができる。これらの周期的低速走査によって、例えば、健全性監視および防火目的のために使用可能な、各検出素子１６ａ、１６ｂ、・・・、１６Ｎの環境の正確な評価が与えられる。一実施例においては、方法１００のそれぞれの完全な繰り返しは、１つの検出素子１６ａ、１６ｂ、・・・、１６Ｎについての低速走査を含むことになる。方法１００の第１の完全な繰り返しは、例えば素子１６ａのスケジュールされた低速走査を含むことができ、一方、方法１００の第２の完全な繰り返しは、素子１６ｂのスケジュールされた低速走査を含むことができ、全てのＮ個の検出素子が低速走査を受けると、このパターンは繰り返される。
【００２１】
本発明は、例示的な１つまたは複数の実施例を参照して説明したとはいえ、当業者には、本発明の範囲から逸脱せずにさまざまな変更を行うことができ、本発明の構成要素の代わりに均等物を置換することができることが理解されるであろう。特に、本発明は温度検出に関して説明したとはいえ、当業者には、方法１００が、光ファイバセンサが利用可能な圧力、ひずみ、または他の量を測定するシステムに同様に適用可能であることが理解されるであろう。検出素子１６ａ、１６ｂ、・・・、１６Ｎは、ＦＢＧ検出素子として説明したとはいえ、他の種類の検出素子が代替として使用可能であり、データプロセッサ２２によって使用される数学モデルが対応して変更される。さらに、本発明の本質的な範囲から逸脱せずに本発明の教示に特定の状況または物質を適合させるために、多くの修正を行うことができる。従って、本発明は、開示された特定の１つまたは複数の実施例に限定されるのではなく、添付の特許請求の範囲に含まれる全ての実施例を含むことになることが意図される。
【符号の説明】
【００２２】
１０…光ファイバ検出システム
１２…呼掛け器
１４…光スイッチ
１６ａ、１６ｂ、・・・、１６Ｎ…検出素子
１８…広帯域光源
２０…高速分光計
２２…データプロセッサ
Ｚ１、Ｚ２、・・・、ＺＭ…ゾーン
【図１】
2013250971.tif 000003
【図２】
2013250971.tif 000004